(57)【要約】【課題】本発明は、取扱いが容易で、簡単にポスターを貼設することができるポスター貼り具を提供する。【解決手段】ポスターの辺部又は角部を、表裏両面から挟着する表片１・裏片２を、ヒンジ部３にて、開閉自在に枢結する。裏片２に貼着剤層を設ける。表片１・裏片２の一方の合わせ面側に磁性板を固着する。表片１・裏片２の他方にマグネット１０を固着する。【選択図】  図２
2005017866.tif 000002
【特許請求の範囲】
【請求項１】
ポスター（Ｐ）の辺部（Ｌ）又は角部（Ｃ）を、表裏両面から挟着する表片（１）・裏片（２）を、ヒンジ部（３）にて、開閉自在に枢結し、該裏片（２）に貼着剤層（６）を設け、さらに、上記表片（１）・裏片（２）の一方の合わせ面（１３）側に磁性板（９）を固着し、かつ、該表片（１）・裏片（２）の他方にマグネット（１０）を固着したことを特徴とするポスター貼り具。
【請求項２】
マグネット（１０）がネオジウム磁石から成る請求項１記載のポスター貼り具。
【請求項３】
マグネット（１０）がネオジウム磁石から成るとともに、該マグネット（１０）を包囲する環状のすべり止め平板（１１）を、上記表片（１）・裏片（２）の他方に固着した請求項１記載のポスター貼り具。
【発明の詳細な説明】
【０００１】
【発明の属する技術分野】
本発明は、ポスター貼り具に関する。
【０００２】
【従来の技術】
従来のポスター貼り具は、画鋲を用いてポスターを張設するものがある（例えば、特許文献１参照）。
【０００３】
【特許文献１】
特開平１１−４８６９０号公報
【０００４】
【発明が解決しようとする課題】
しかし、画鋲は小さいので、落としたり、紛失したりするとともに、ポスターを貼設しにくい（貼設するのに時間と手間がかかる）という欠点があった。
【０００５】
そこで、本発明は、取扱いが容易で、簡単にポスターを貼設することができるポスター貼り具を提供することを目的とする。
【０００６】
【課題を解決するための手段】
上述の目的を達成するために、本発明に係るポスター貼り具は、ポスターの辺部又は角部を、表裏両面から挟着する表片・裏片を、ヒンジ部にて、開閉自在に枢結し、該裏片に貼着剤層を設け、さらに、上記表片・裏片の一方の合わせ面側に磁性板を固着し、かつ、該表片・裏片の他方にマグネットを固着したものである。
【０００７】
また、マグネットがネオジウム磁石から成るものである。また、マグネットがネオジウム磁石から成るとともに、該マグネットを包囲する環状のすべり止め平板を、上記表片・裏片の他方に固着したものである。
【０００８】
【発明の実施の形態】
以下、実施の形態を示す図面に基づき、本発明を詳説する。
【０００９】
図１は、本発明の使用状態を示す。すなわち、このポスター貼り具Ａは、ポスターＰの辺部Ｌ又は角部Ｃに付設されて、ポスターＰを壁面Ｗに貼着する。具体的には、辺部Ｌにストレート型ポスター貼り具Ａ１  （第１の実施の形態）を配設し、角部ＣにＬ字型ポスター貼り具Ａ２  （第２の実施の形態）を配設する。ポスターＰをたるみなく確実に壁面Ｗに貼着することができる。
【００１０】
図２・図３は、第１の実施の形態を示す。ポスター貼り具Ａは、ポスターＰ（図１参照）の辺部Ｌ又は角部Ｃを、表裏両面から挟着する透明プラスチック製表片１・裏片２が、ヒンジ部３にて、開閉自在に枢結される。ヒンジ部３は、その上端縁中央部に、表片１と裏片２が開いた状態を保持するための半球状凸部４を有し、かつ、裏片２は、凸部４が係止するための横溝状凹部５を有する。
【００１１】
具体的には、弾性変形可能な板バネ片部１４を図３（Ｃ）に示した背面図のように、裏片２に形成し、この板バネ片部１４に横溝状凹部５を形成すれば、スムースに図３（Ａ）と（Ｂ）の間の切換えができ、かつ、確実に、ヒンジ部３と凸部４が係合する。なお、凹部５としては、小凹窪状の半球形状でも良い。
【００１２】
裏片２にポスター貼り具Ａを壁面Ｗ（図１参照）に貼着するための貼着剤層６が設けられる。７は剥離紙を示し、この剥離紙７を貼着剤層６から剥離させた後に、壁面Ｗに貼着する。
【００１３】
図４に示すように、裏片２の合わせ面１３ｂ側に鉄鋼製円形状磁性板９が固着される。表片１に円柱型マグネット１０が固着される。マグネット１０はネオジウム磁石から成る。マグネット１０を包囲する環状のすべり止め平板１１が、表片１に固着される。マグネット１０の上記固着は、接着又は圧入（圧着）等により行ない、また、上記すべり止め平板１１の固着は、接着や溶着により行なう。
【００１４】
すべり止め平板１１は、例えば、シリコンゴム、エラストマー等から成る。特に、すべり止め平板１１は、透明又は半透明であって、摩擦係数が大きい材料から成るのが好ましい。表片１・裏片２が透明であって、かつ、すべり止め平板１１が透明又は半透明なので、ポスターＰの外観を損なわない。
【００１５】
マグネット１０の裏面１０ａと、すべり止め平板１１の裏面１１ａとの距離ｄは、０ｍｍ≦ｄ≦  ０．５ｍｍに設定される。距離ｄが、この範囲にあるので、マグネット１０と磁性板９との間にはたらく磁力によってポスターＰ（図１参照）を確実に保持することができるとともに、すべり止め平板１１によってポスターＰがずれるのを防止することができる。（ポスターＰを挾持した状態に於て、ポスターＰは、すべり止め平板１１と磁性板９によって挾持されている。）
【００１６】
距離ｄが、マイナスの場合（つまり、マグネット１０がすべり止め平板１１よりも突出している場合）、すべり止め平板１１によるすべり止め効果が十分に得られない虞れがある。また、距離ｄが、  ０．５ｍｍ＜ｄの場合、ポスターＰを挾持する力が弱くなる。
【００１７】
図５・図６は、第２の実施の形態を示す。全体が正面視略Ｌ字型に形成される。すなわち、表片１の正面視が略Ｌ字型に形成されるとともに、裏片２の正面視が略Ｌ字型に形成される。正面視に於て、ヒンジ部３は、全体形状が略Ｌ字型の角部１７に配設され、そのヒンジ部３の開閉軸心線Ｊが上記略Ｌ字型を形成する２辺１５，１６に対して４５°の角度θだけ傾いた方向に設けられている。
【００１８】
図７は、他の使用状態を示す。このように、（第１の実施例で示した）ストレート型ポスター貼り具Ａ１  のみを、辺部Ｌ及び角部Ｃに配設しても良い。
【００１９】
なお、本発明は、設計変更可能であって、例えば、表片１の合わせ面１３ａ側に磁性板９が固着され、裏片２にマグネット１０が固着され、かつ、マグネット１０を包囲する環状のすべり止め平板１１が、裏片２に固着されるも良い。また、全体が正面視略円型や略多角形等に形成されるも良い。
【００２０】
【発明の効果】
本発明は、上述の如く構成されるので、次に記載する効果を奏する。
【００２１】
（請求項１，２，３によれば）ポスターＰをたるみなく確実に壁面Ｗに貼着することができる。特に、取扱いが容易で、簡単にポスターＰを壁面Ｗに貼設することができる。ポスターＰの取外し・交換時には、表片１・裏片２を開閉させれば良く、容易にポスターＰの取外し・交換を行なうことができる。また、強度・耐久性に優れ、長年にわたって繰り返し使用することができる。
【００２２】
（請求項２によれば）ネオジウム磁石は、銀白色なので、全体の外観に対してマグネット１０が違和感を与えることなく、自然な色調とすることができる。
【００２３】
（請求項３によれば）ポスターＰがずれるのを防止することができる。すなわち、確実にポスターＰを保持することができる。
【図面の簡単な説明】
【図１】本発明の使用状態を示す正面図である。
【図２】第１の実施の形態を示す正面図である。
【図３】要部説明図であって、（Ａ）は図２のＸ−Ｘ断面図、（Ｂ）は開いた状態の断面図、（Ｃ）は要部背面図である。
【図４】図２のＹ−Ｙ断面図である。
【図５】第２の実施の形態を示す正面図である。
【図６】表片と裏片を開いた状態を示す正面図である。
【図７】他の使用状態を示す正面図である。
【符号の説明】
１  表片
２  裏片
３  ヒンジ部
６  貼着剤層
９  磁性板
１０  マグネット
１１  すべり止め平板
１３  合わせ面
Ｃ  角部
Ｌ  辺部
Ｐ  ポスター
【図１】
2005017866.tif 000003
【図２】
2005017866.tif 000004
【図３】
2005017866.tif 000005
【図４】
2005017866.tif 000006
【図５】
2005017866.tif 000007
【図６】
2005017866.tif 000008
【図７】
2005017866.tif 000009